(57)【要約】【課題】綴じられた複数枚の用紙をめくる時に使用するページめくり機において、用紙のおもて面を汚したり傷つけたりせず、機構の制御や調整が単純で高速な処理を、スペースを必要としない上に大きな力を加える必要もない小型の機械でめくる動作を安定して実現する。【解決手段】綴じられた複数枚の用紙のめくる対象となる用紙とその直下の用紙との間に隙間を設ける隙間発生手段とめくる対象となる用紙の端を移動する搬送手段を有し、その搬送手段がめくる対象となる用紙とその直下の用紙との間に設けられた隙間に先端を挿入してめくる対象となる用紙の端の軌道を誘導するめくり軌道誘導ユニットとそのめくり軌道誘導ユニットによってめくる対象となる用紙が反り返ってめくられたあとめくる対象となる用紙を保持しながら搬送してさらに大きくめくる保持搬送ユニットによって実現されることを特徴とする。【選択図】図１
2011121351.tif 000002
【特許請求の範囲】
【請求項１】
綴じられた複数枚の用紙をめくるページめくり機において、めくる対象となる用紙と該用紙の直下の用紙との間に隙間を設ける隙間発生手段と前記めくる対象となる用紙の端を移動する搬送手段を有し、該搬送手段が前記隙間に先端を挿入し前記めくる対象となる用紙の端の軌道を誘導するめくり軌道誘導ユニットと該めくり軌道誘導ユニットの移動によって前記めくる対象となる用紙の端の軌道が前記めくり軌道誘導ユニットの形状に沿って描かれながら前記めくる対象となる用紙が反り返ってめくられたあと前記めくる対象となる用紙を保持しながら搬送してさらに大きくめくる保持搬送ユニットによって実現されることを特徴とするページめくり機。
【請求項２】
請求項１記載のページめくり機において、前記めくり軌道誘導ユニットと前記保持搬送ユニットの移動の動作が各々独立して制御されることを特徴とするページめくり機。
【請求項３】
請求項１記載のページめくり機において、前記保持搬送ユニットによる保持搬送が完了したあと前記めくる対象となる用紙を保持するめくり状態保持ユニットを有することを特徴とするページめくり機。
【請求項４】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくり軌道誘導ユニットの大きさを前記めくる対象となる用紙の大きさやこわさなどの種類に応じて調整する機構を有することを特徴とするページめくり機。
【請求項５】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくる対象となる用紙の端が接する前記めくり軌道誘導ユニットの内側の壁の適当な位置で、前記めくり軌道誘導ユニットの移動によって発生する前記めくり軌道誘導ユニットの移動方向の力と前記めくる対象となる用紙の端が進行することによって発生する進行方向と逆方向の反発力とをベクトル合成した結果である前記めくる対象となる用紙の端から面方向に加えられる力として前記めくる対象となる用紙を反り返らせるほどに増大させることができる大きさの前記反発力を発生させる手段を有することを特徴とするページめくり機。
【請求項６】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくる対象となる用紙の裏面が前記めくり軌道誘導ユニットの形状に沿うように非接触でガイドする手段を有することを特徴とするページめくり機。
【請求項７】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくり軌道誘導ユニットの適当な位置に気体送入口を先端付近に孔を設け、前記気体送入口から気体を送入して前記孔から気体を噴出しながら前記めくる対象となる用紙をめくることを特徴とするページめくり機。
【請求項８】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、めくる対象となる用紙と該用紙の直下の用紙との間に隙間を設ける手段が気体を噴出して負圧作用を発生させることによって非接触で吸着する非接触吸盤と風向制御板とで実現され、前記非接触吸盤から噴出された気体が前記風向制御板によって風向を制御されて前記めくる対象となる用紙と該用紙の直下の用紙との間の隙間に送り込まれることを特徴とするページめくり機。
【発明の詳細な説明】
【技術分野】
【０００１】
本発明は、綴じられた複数枚の用紙をめくるページめくり機に関するものである。
【背景技術】
【０００２】
従来より、綴じられた複数枚の用紙をめくる例として、例えばカレンダー製作では必要な内容を予め印刷して綴じ合わせた後、必要に応じて指定の企業名や広告などをカレンダーの各葉の下部に印刷する場合があった。複数枚の用紙を丁合して綴じ合わせる工程には多くの作業時間を要することから、カレンダーの注文が集中する時期より前もって綴じ合わせの工程を完了しておくことによって多くの需要に対応するためであった。
【０００３】
しかしながら、このカレンダーの枚葉をめくる手段は主に平台オフセット印刷機を用いて手作業で行われており多くの人手が必要であった。また、手作業で行われるために手が巻き込まれるなどの危険が伴ったり、また過酷な就労が強いられていた。
【０００４】
上記問題を鑑みて、カレンダーなどの枚葉をめくる手段として、人手によるものではなく自動化が試みられ、例えば特許第０９１０２３８号があった。図３５に示すように、カレンダーなどの枚葉をめくる手段として、ロータリーバキューム装置を具えた特殊ブランケット胴２６と補助用エアーノズル２７とめくり用エアーノズル２８とからなっていた。ロータリーバキューム装置を具えた特殊ブランケット胴２６を回転することによってめくる対象となる用紙７を吸い付けながら２枚目の用紙８との間に隙間を設け、めくり用エアーノズル２８から噴出された気体をその隙間に送り込むことによってめくる構造になっていた。補助用エアーノズル２７は紙捌きを良くするために用いられるものであった。この先行技術文献では前記めくる動作と同時に印刷する手段を有していた。
【０００５】
しかしながらこの構造では、特殊ブランケット胴２６がカレンダーのおもて面を強く吸い付けながら回転してめくる構造であるためカレンダーのインキの乾かない印刷面を汚したり傷つけたりする欠点があった。また、めくり用エアーノズル２８から気体を噴出してめくるとき、安定しためくり機構を実現するためには気体の噴出量や方向の調整が複雑になる欠点があった。さらに、既存の印刷機に取り付ける場合、既存の平台オフセット印刷機のブランケット胴の作動を妨害しないように、用紙の吸着のためにロータリーバキューム装置の他に回転機構を具えた特殊ブランケット胴２６をカレンダーの印刷面近傍から遠ざける動作が必要となり、機械が大掛かりになる欠点があった。
【０００６】
また別の自動化を試みる例として、特許第１５８９６６３号があった。図３６に示すように、カレンダーなどの枚葉をめくる手段として、サッカーロール２９とバキュームボックスを具えたベルトコンベヤ３０とからなっていた。サッカーロール２９を回転して移動することによってめくる対象となる用紙７を摺擦して移動させ、めくる対象となる用紙７の浮き上がった部分をバキュームボックスを具えたベルトコンベヤ３０に吸着しながら移動することによってめくる構造になっていた。
【０００７】
しかしながらこの構造では、サッカーロール２９がカレンダーのおもて面を強く押し付けながら回転してめくる構造であるためカレンダーのインキの乾かない印刷面を汚したり傷つけたりする欠点があった。また、めくる対象となる用紙７の浮き上がったおもて面をバキュームボックスを具えたベルトコンベヤ３０に吸着しながら移動するため、吸着方向と垂直の方向へ安定して移動するためには非常に大きな吸着力が必要となり、カレンダーのインキの乾かない印刷面を汚したり傷つけたりする欠点や機械が大掛かりになる欠点があった。
【０００８】
また別の自動化を試みる例として、特開昭５４−１０３１０９号があった。図３７に示すように、カレンダーなどの枚葉をめくる手段として、吸盤３１とエアーノズル３２とからなっていた。吸盤３１によってめくる対象となる用紙７を吸着して円弧を描くような軌道で吸盤３１を移動させることによってめくる構造になっていた。吸盤３１によってめくる対象となる用紙７を吸着して持ち上げながら２枚目の用紙８との間に隙間を設けたとき、エアーノズル３２から噴出された気体をその隙間に送り込むことによって２枚目の用紙８をめくる対象となる用紙７と同時に誤ってめくることのないような手段を有するものである。
【０００９】
しかしながらこの構造では、吸盤３１が大きく円弧を描く軌道に沿って移動するとき、縦方向と横方向との組み合わせによる大きな移動が伴うことからめくる対象となる用紙７を強く保持している必要があるため非常に大きな吸着力が必要となり、カレンダーのおもて面を汚したり傷つけたりする欠点や機械が大掛かりになる欠点、さらに、めくる対象となる用紙７を大きな吸着力で吸着して持ち上げるとき２枚目の用紙をめくる対象となる用紙７と同時に誤ってめくる欠点があった。また、吸盤３１の移動において、円弧を描くなど縦方向と横方向の軌道を制御する必要があり、制御が複雑になったり軌道を決定するためのロットが大きくなるなど機械が大掛かりになる欠点があった。さらに、吸盤３１だけでめくる構造であるため、めくる対象となる用紙７を安定にめくるためには吸盤３１を大きく移動する必要があり、めくる処理が遅くなるという欠点があった。
【００１０】
また別の自動化を試みる例として、特開平６−１２６９３３号があった。図３８に示すように、カレンダーなどの枚葉をめくる手段として、吸盤３３と圧胴３４とゴム胴３５とからなっていた。吸盤３３によってめくる対象となる用紙７を吸着しながら２枚目の用紙８との間に隙間を設け、圧胴３４をその隙間に挿入してめくる対象となる用紙７をゴム胴３５との間に挟みゴム胴３５を回転してめくる構造になっていた。この先行技術文献では前記めくる動作と同時に印刷する手段を有していた。
【００１１】
しかしながらこの構造では、圧胴３４がカレンダーのおもて面をゴム胴３５に強く押し付けてゴム胴３５が回転しながらカレンダーのおもて面をなめながらめくる構造であるためカレンダーのおもて面を汚したり傷つけたりする欠点があった。また、めくられた用紙が元に戻らないようにゴム胴３５が回転してめくられた用紙の裏側を摩擦によって擦るため用紙を汚したり傷つけたりする欠点があった。さらに、既存の印刷機に取り付ける場合、既存の平台オフセット印刷機のブランケット胴の作動を妨害しないように回転機構を具えたゴム胴３５をカレンダーの印刷面近傍から遠ざける動作が必要となり、機械が大掛かりになる欠点があった。
【００１２】
また別の自動化を試みる例として、特許第２０７７５４１号があった。図３９に示すように、カレンダーなどの枚葉をめくる手段として、巻付け胴３６と吸着ノズル３７と吹付けノズル３８と解除用吹付けノズル３９からなっていた。吸着ノズル３７によってめくる対象となる用紙７を吸着し保持して巻付け胴３６に巻き付けながら巻付け胴３６を移動したあと、巻き付けられた用紙の裏側に向けて解除用吹付けノズル３９で気体を噴出して巻き付けられた用紙を吹き飛ばすことによってめくる構造になっていた。吹付けノズル３８はめくる対象となる用紙７を吹き上げるために用いられるものであった。
【００１３】
しかしながらこの構造では、吸着ノズル３７がカレンダーのおもて面を吸着して保持しながら巻付け胴３６にカレンダーのおもて面が接する状態で順次巻き付けてめくる構造であるためカレンダーのおもて面を汚したり傷つけたりする欠点があった。また、めくる対象となる用紙７を巻き付けるとき、巻付け胴３６の回転に同期した持ち上げや横への移動の動作が必要になるため複雑な制御が必要となると共にめくる処理が遅くなる欠点があった。さらに、めくる対象となる用紙７を巻付け胴３６に巻き付けたあと巻き付けられためくる対象となる用紙７の裏側に向けて解除用吹付けノズル３９で気体を噴出して巻き付けられためくる対象となる用紙７を吹き飛ばす構造になっているため、巻付け胴３６に巻き付けられためくる対象となる用紙７を吹き飛ばすためには圧力の高い気体の噴出が必要となり、機械が大掛かりになったり用紙の大きさやこわさによって吹き付ける気体の圧力や量の調整が複雑になる欠点があった。
【００１４】
また別の自動化を試みる例として、実登２１２６８３４号や特開平３−８６５９９号があった。図４０に示すように、カレンダーや通帳などの枚葉をめくる手段として、吸着装置４０とターンペーパーガイド４１からなっていた。吸着装置４０によってめくる対象となる用紙７を吸着しながら２枚目の用紙８との間に隙間を設け、ターンペーパーガイド４１の先端をその隙間に挿入してめくる対象となる用紙７を湾曲面に沿って搬送してめくる構造になっていた。
【００１５】
しかしながらこの構造では、めくる対象となる用紙７のめくる側の端がターンペーパーガイド４１の移動と共に反り返ったあと、めくる対象となる用紙７のおもて面に垂れることによって、丸まったりめくる側の端に対して反対側で用紙を固定している部分に引っ掛かってめくる動作を阻害する欠点があった。また、めくる対象となる用紙７を完全にめくるためには、ターンペーパーガイド４１を少なくともめくる対象となる用紙７のめくる側の端に対して反対側の用紙を固定している部分付近まで大きく移動する必要があり、めくる処理が遅くなるという欠点があった。
【００１６】
また別の自動化を試みる例として、特開平５−２６２０７３号があった。図４１に示すように、カレンダーなどの枚葉をめくる手段として、ページめくりベルト４２とページ収納手段４３からなっていた。ページめくりベルト４２によってめくる対象となる用紙７を吸着しながら２枚目の用紙８との間に隙間を設け、ページ収納手段４３の先端をその隙間に挿入してめくる対象となる用紙７のめくる側の端を湾曲面に沿って搬送してページ収納手段４３に丸めながら収納してめくる構造になっていた。
【００１７】
しかしながらこの構造では、めくる対象となる用紙７がページ収納手段４３に進入してめくる対象となる用紙７のめくる側の端がほぼ一回転したあと、めくる対象となる用紙７のインキの乾かないおもて面とめくる対象となる用紙７の裏面が重なりながら擦り合わされるため、カレンダーのおもて面を汚したり傷つけたりする欠点があった。また、めくる対象となる用紙７を完全にめくるためには、ページ収納手段４３に丸められて収納されためくる対象となる用紙７を解放するために少なくともめくる対象となる用紙７のめくる側の端からめくる対象となる用紙７のめくる側の端に対して反対側の用紙を固定している部分付近までの距離の倍程大きく移動する必要があり、めくる処理が遅くなるという欠点があった。
【先行技術文献】
【特許文献】
【００１８】
【特許文献１】特許０９１０２３８号（特開昭５１−４２６０７号）
【００１９】
【特許文献２】特許１５８９６６３号（特開昭６０−７６３４４号）
【００２０】
【特許文献３】特開昭５４−１０３１０９号
【００２１】
【特許文献４】特開平６−１２６９３３号
【００２２】
【特許文献５】特許２０７７５４１号（特開平７−１１５５５２号）
【００２３】
【特許文献６】実登２１２６８３４号（実開平１−１３１５６０号）
【００２４】
【特許文献７】特開平３−８６５９９号
【００２５】
【特許文献８】特開平５−２６２０７３号
【発明の概要】
【発明が解決しようとする課題】
【００２６】
解決しようとする問題点は、綴じられた複数枚の用紙をめくるページめくり機において、カレンダーのおもて面を汚したり傷つけたりする点、機構の制御や調整が複雑である点、めくる処理が遅い点、機械が大掛かりになる点、めくる動作が不安定である点、既存の平台オフセット印刷機に取り付けることができなかった点である。
【課題を解決するための手段】
【００２７】
本発明は、カレンダーなどの綴じられた複数枚の用紙をめくるページめくり機において、前記のような従来例における問題点を解消するために、めくる対象となる用紙とその直下の用紙との間に隙間を設ける隙間発生手段とめくる対象となる用紙の端を移動する搬送手段を有し、その搬送手段がめくる対象となる用紙とその直下の用紙との間に設けられた隙間に先端を挿入してめくる対象となる用紙の端の軌道を誘導するめくり軌道誘導ユニットとそのめくり軌道誘導ユニットの移動によってめくる対象となる用紙の端の軌道がめくり軌道誘導ユニットの形状に沿って描かれながらめくる対象となる用紙が反り返ってめくられたあとめくる対象となる用紙を保持しながら搬送してさらに大きくめくる保持搬送ユニットによって実現されることを特徴とする。
【００２８】
本発明は、好ましくは、めくる対象となる用紙とその直下の用紙との間に隙間を設ける手段が吸盤でめくる対象となる用紙を吸着して実現される場合、非常に弱い力でかつめくり軌道誘導ユニットの先端を挿入できる程度の僅かな隙間を設けることを特徴とする。
【００２９】
本発明は、好ましくは、めくる対象となる用紙とその直下の用紙との間に隙間を設ける手段が吸盤でめくる対象となる用紙を吸着して実現される場合、めくる対象となる用紙の端の印刷されていない僅かな箇所を吸着して隙間を設けることを特徴とする。
【００３０】
本発明は、好ましくは、めくる対象となる用紙とその直下の用紙との間に隙間を設ける手段が気体吸入口から気体を吸入し吸着面から外気を吸い込みながらめくる対象となる用紙を吸着する吸盤で実現される場合、めくる対象となる用紙とその直下の用紙との間に隙間が設けられたあと、めくる対象となる用紙が吸盤の吸着面に接する前に気体吸入口からの気体吸入を停止することを特徴とする。
【００３１】
本発明は、好ましくは、めくる対象となる用紙とその直下の用紙との間に隙間を設ける手段が気体を噴出して負圧作用を発生させることによって非接触で吸着する非接触吸盤と風向制御板とで実現され、風向制御板は非接触吸盤から噴出された気体の風向を制御することによってめくる対象となる用紙とその直下の用紙との間に隙間を設けながら送り込まれることを特徴とする。
【００３２】
本発明は、好ましくは、めくる対象となる用紙の端の軌道をガイドするめくり軌道誘導ユニットの断面曲線が、めくる対象となる用紙の端が滑らかに移動しながらおもて面を内側にして反り返って折り返されるような形状、例えばＪの字を反時計周りに回転させた形に似た形状を有することを特徴とする。
【００３３】
本発明は、好ましくは、めくる対象となる用紙の端の軌道をガイドするめくり軌道誘導ユニットの大きさを、めくる対象となる用紙の大きさやこわさなどの種類に応じて調整する機構を有することを特徴とする。
【００３４】
本発明は、好ましくは、めくる対象となる用紙の端が接するめくり軌道誘導ユニットの比較的先端部分の内側の壁で、めくり軌道誘導ユニットの移動によって発生するめくり軌道誘導ユニットの移動方向の力とめくる対象となる用紙の端が進行することによって発生する進行方向と逆方向の反発力とをベクトル合成した結果であるめくる対象となる用紙の端から面方向に加えられる力としてめくる対象となる用紙を反り返らせるほどに増大させることができる大きさの反発力を発生させる手段を有することを特徴とする。
【００３５】
本発明は、好ましくは、めくる対象となる用紙の端の軌道がめくり軌道誘導ユニットの形状に沿って描かれながらめくる対象となる用紙が反り返ってめくられるとき、めくる対象となる用紙の裏面がめくり軌道誘導ユニットの形状に沿うように非接触でガイドする手段を有することを特徴とする。
【００３６】
本発明は、好ましくは、めくる対象となる用紙の端の軌道をガイドするめくり軌道誘導ユニットの適当な位置に気体送入口を先端に孔を設け、気体送入口から気体を送入して孔から気体を噴出しながらめくる対象となる用紙をめくることを特徴とする。
【００３７】
本発明は、好ましくは、めくる対象となる用紙を保持しながら搬送してさらに大きくめくる保持搬送ユニットにおいて、めくる対象となる用紙の裏面を吸着して保持しながら搬送することを特徴とする。
【００３８】
本発明は、好ましくは、めくり軌道誘導ユニットと保持搬送ユニットの移動の動作が各々独立して制御されることを特徴とする。
【００３９】
本発明は、好ましくは、保持搬送ユニットによる保持搬送が完了したあと、めくる対象となる用紙を保持するめくり状態保持ユニットを有することを特徴とする。
【発明の効果】
【００４０】
以上述べたように、本発明に係るページめくり機では、めくる対象となる用紙とその直下の用紙との間に隙間を設ける手段において、めくり軌道誘導ユニットの先端を挿入できる程度の僅かな隙間で良く、例えば吸盤によってめくる対象となる用紙を非常に弱い力で吸着するだけで済むため、カレンダーのおもて面を汚したり傷つけたりすることがない。また、めくる対象となる用紙とその直下の用紙との間に隙間を設ける手段において、めくり軌道誘導ユニットの先端を挿入できる程度の僅かな隙間で良く、気体吸入口から気体を吸入し吸着面から外気を吸い込みながらめくる対象となる用紙を吸着する吸盤で実現される場合、好ましい様態としてめくる対象となる用紙とその直下の用紙との間に隙間が設けられたあと、めくる対象となる用紙が吸盤の吸着面に接する前に気体吸入口からの気体吸入を停止するため、カレンダーのおもて面を汚したり傷つけたりすることがない。さらに、めくり軌道誘導ユニットの先端をめくる対象となる用紙とその直下の用紙との間の隙間に挿入したあと、めくる対象となる用紙の端の軌道がめくり軌道誘導ユニットの形状に沿って描かれながらめくる対象となる用紙が反り返ってめくられるときに用紙のおもて面がどこにも接触されない構造を有するため、カレンダーのおもて面を汚したり傷つけたりすることがないページめくり機を提供するものである。また、めくる対象となる用紙の端を移動する搬送手段が、めくる対象となる用紙とその直下の用紙との間に設けられた隙間に先端を挿入してめくる対象となる用紙の端の軌道を誘導するめくり軌道誘導ユニットとそのめくり軌道誘導ユニットの移動とともにめくる対象となる用紙の端の軌道がめくり軌道誘導ユニットの形状に沿って描かれながらめくる対象となる用紙が反り返ってめくられたあとめくる対象となる用紙を保持しながら搬送してさらに大きくめくる保持搬送ユニットによって実現され、めくる対象となる用紙が大きく反り返ってめくる対象となる用紙のおもて面に垂れる前にめくる対象となる用紙を保持して搬送するため、カレンダーなどの用紙のめくる動作を安定することができる。また、めくる対象となる用紙を保持しながら搬送してさらに大きくめくる保持搬送ユニットにおいて、好ましい様態としてめくる対象となる用紙の裏面を吸着して保持しながら搬送するため、カレンダーのおもて面を汚したり傷つけたりすることがないページめくり機を提供するものである。
【００４１】
また、好ましい様態として、めくる対象となる用紙とその直下の用紙との間の隙間が気体を噴出して負圧作用を発生させることによって非接触で吸着して設けられることによって、めくる対象となる用紙とその直下の用紙との間に隙間を設ける手段においてもめくる対象となる用紙のおもて面がどこにも接触されない構造を有するため、カレンダーのおもて面を汚したり傷つけたりすることがないページめくり機を提供するものである。
【００４２】
さらに、めくる対象となる用紙とその直下の用紙との間に設ける隙間はめくり軌道ユニットの先端を挿入できる程度の非常に僅かなもので良いため、静電気や気圧差などによってめくる対象となる用紙の直下の用紙が同時に持ち上げられるのを回避することができ、誤って２枚の用紙をめくることがないページめくり機を提供するものであるが、好ましい様態として、めくる対象となる用紙とその直下の用紙との間に隙間を設ける手段が気体を噴出して負圧作用を発生させることによって非接触で吸着する非接触吸盤と風向制御板とで実現され、風向制御板が非接触吸盤から噴出された気体の風向を制御することによってめくる対象となる用紙とその直下の用紙との間に隙間を設けながら送り込まれる構造を有することによって、めくる対象となる用紙とその直下の用紙を確実に分離することが可能となり、２枚同時に誤ってめくることがなく安定して作動するページめくり機を提供するものである。
【００４３】
また、めくる対象となる用紙とその直下の用紙との間に設ける隙間はめくり軌道誘導ユニットの先端を挿入できる程度の非常に僅かなもので良いため、静電気や気圧差などによってめくる対象となる用紙の直下の用紙が同時に持ち上げられるのを回避することができ、誤って２枚の用紙をめくることがないページめくり機を提供するものであるが、好ましい様態として、めくり軌道誘導ユニットの適当な位置に気体送入口を、めくり軌道誘導ユニットの先端に孔を設け、気体送入口から気体を送入して孔から気体を噴出しながらめくり軌道誘導ユニットをめくる対象となる用紙とその直下の用紙との間の隙間に先端を挿入する構造を有することによって、めくる対象となる用紙とその直下の用紙を確実に分離することが可能となり、２枚同時に誤ってめくることがなくさらに安定して作動するページめくり機を提供するものである。
【００４４】
さらに、好ましい様態として、めくる対象となる用紙の端の軌道をガイドするめくり軌道誘導ユニットの大きさを、めくる対象となる用紙の大きさやこわさなどの種類に応じて調整する機構を有することによって、めくる対象となる用紙がめくり軌道誘導ユニットの内側でめくる対象となる用紙が大きく硬すぎて引っ掛かったりめくる対象となる用紙が小さく柔らかすぎて反り返ってめくられたあとにめくり軌道から外れて垂れるようなことがなく安定して動作するページめくり機を提供するものである。
【００４５】
さらに、好ましい様態として、めくり軌道誘導ユニットの比較的先端部分の内側の壁において摩擦を大きく施したりエンボス加工を施すなどをして、めくる対象となる用紙の一辺がめくり軌道誘導ユニットの内側の壁の軌道に沿って進む方向と反対方向に発生する反発力をある程度大きくすることによって、めくる対象となる用紙のこわさによる反発力を相殺してめくる対象となる用紙の裏面がめくり軌道誘導ユニットの内側の壁の軌道に沿うようにめくる対象となる用紙を反り返らせ、めくる対象となる用紙が反り返らずにめくり軌道誘導ユニットに十分進入したあとに逆側に反り返ってめくられずに丸められることがなく安定して動作するページめくり機を提供するものである。
【００４６】
さらに、好ましい様態として、めくる対象となる用紙の裏面がめくり軌道誘導ユニットの形状に沿うように非接触でガイドする手段を有することによって、めくる対象となる用紙が反り返ってめくられたあとにめくり軌道から外れて垂れるようなことがなく安定して動作するページめくり機を提供するものである。
【００４７】
また、吸盤によってめくる対象となる用紙とその直下の用紙との間に隙間を設け、その隙間にめくり軌道誘導ユニットの先端を挿入したあとめくる対象となる用紙の軌道を妨害しないように吸盤を縦方向または横方向に退避し、めくり軌道誘導ユニットと保持搬送ユニットとの各々横方向の直線運動の単純な移動によってめくる対象となる用紙の端の軌道がめくり軌道誘導ユニットの形状にガイドされるようにめくる対象となる用紙がめくられたあと保持搬送ユニットによってさらに大きくめくられる構造を有するため、機構の制御や調整が単純で、かつめくる処理が早く、スペースを必要としない上に大きな力を加える必要もないために小型の機械で実現できるページめくり機を提供するものである。また、めくる対象となる用紙とその直下の用紙との間に隙間を設けるための吸盤は、その隙間にめくり軌道誘導ユニットの先端を挿入したあとめくる対象となる用紙の軌道を妨害しないようにアームによって円弧を描くように退避してもよく、この場合も単純な制御と単純な移動であるため、機構の制御や調整が単純で、かつめくる処理が早く、スペースを必要としない上に大きな力を加える必要もないために小型の機械で実現できることに変わりはない。
【００４８】
また、好ましい様態として、めくり軌道誘導ユニットと保持搬送ユニットの移動の動作が各々独立して制御されることによって、めくる対象となる用紙がめくり軌道誘導ユニットによって反り返ってめくられたあと保持搬送ユニットによる大きくめくる動作に切り替わるため、めくり軌道誘導ユニットは次の用紙をめくる動作に移ることが可能となってめくる処理が早いページめくり機を提供するものである。
【００４９】
また、好ましい様態として、保持搬送ユニットによる保持搬送が完了したあと、めくる対象となる用紙を保持するめくり状態保持ユニットを有することによって、めくる対象となる用紙が安定してめくられた状態を保つことができるページめくり機を提供するものである。
【００５０】
さらに、印刷の機構と独立している構造を有しているため、めくる機構だけが必要な場合においては費用対効果が高いページめくり機を提供するものである。
【００５１】
さらに、既存の平台オフセット印刷機のような摺動する機構から動力を受けることなく、独立した動力源で既存の平台オフセット印刷機のブランケット胴の動作に同期して作動し、さらに既存の平台オフセット印刷機のブランケット胴等を妨害することがないため、既存の印刷機上に容易に取り付けられるページめくり機を提供するものである。
【００５２】
以上述べたように、本発明に係るページめくり機では、カレンダーなどの綴じられた複数枚の用紙の少なくともおもて面を汚したり傷つけたりすることがないという利点を有する。また、機構の制御や調整が単純で、かつめくる処理が早く、スペースを必要としない上に大きな力を加える必要もないために小型の機械で実現できるページめくり機を提供することができる。さらに、安定した動作を実現できるページめくり機を提供することができる。さらに、めくる機構だけが必要な場合においては費用対効果が高いページめくり機を提供することができる。さらに、既存の平台オフセット印刷機に容易に取り付けられるページめくり機を提供することができる。さらに、好ましい様態ではめくる対象となる用紙とその直下の用紙を確実に分離することが可能となり、２枚同時に誤ってめくることがなく安定して作動するページめくり機を提供することができる。
【図面の簡単な説明】
【００５３】
【図１】図１は本発明のページめくり機の実施例１を示す斜視図である。（実施例１）
【図２】図２は本発明のページめくり機の実施例１を構成するめくり軌道誘導ユニットの構造を示す断面図である。（実施例１）
【図３】図３は本発明のページめくり機の実施例１を構成する非接触吸盤の構造を示す断面図である。（実施例１）
【図４】図４は本発明のページめくり機の実施例１を用いて複数枚の用紙をめくる第１の工程を示す側面図である。（実施例１）
【図５】図５は本発明のページめくり機の実施例１を用いて複数枚の用紙をめくる第２の工程を示す側面図である。（実施例１）
【図６】図６は本発明のページめくり機の実施例１を用いて複数枚の用紙をめくる第３の工程を示す側面図である。（実施例１）
【図７】図７は本発明のページめくり機の実施例１を用いて複数枚の用紙をめくる第４の工程を示す側面図である。
【図８】図８は本発明のページめくり機の実施例１を用いて複数枚の用紙をめくる第４の工程の終了を示す側面図である。
【図９】図９は本発明のページめくり機の実施例１を用いて複数枚の用紙をめくる第４の工程の終了を示す別の例の側面図である。
【図１０】図１０は本発明のページめくり機の実施例１を用いて複数枚の用紙をめくる第４の工程の終了を示すさらに別の例の側面図である。
【図１１】図１１は本発明のページめくり機の実施例１を用いて複数枚の用紙をめくる第５の工程を示す側面図である。
【図１２】図１２は本発明ページめくり機の実施例１を構成する別のめくり軌道誘導ユニットの構造を示す断面図である。（実施例１）
【図１３】図１３は本発明のページめくり機の実施例１を用いて、めくり軌道誘導ユニット２が平面板状の形状を有する場合の複数枚の用紙をめくる第１の工程から第３の工程までを示す側面図である。（実施例１）
【図１４】図１４は本発明のページめくり機の実施例１を構成するさらに別のめくり軌道誘導ユニットの構造を示す断面図である。（実施例１）
【図１５】図１５は本発明のページめくり機の実施例１を構成するさらに別のめくり軌道誘導ユニットの構造を示す断面図である。（実施例１）
【図１６】図１６は本発明のページめくり機の実施例１を用いてさらに別のめくり軌道誘導ユニットで構成される場合に複数枚の用紙をめくる第３の工程を示す側面図である。（実施例１）
【図１７】図１７は本発明のページめくり機の実施例１を用いて好ましくないめくり軌道誘導ユニットで構成される場合に複数枚の非常に硬い材質を有する用紙をめくる第３の工程の途中の段階を示す側面図である。（実施例１）
【図１８】図１８は本発明のページめくり機の実施例１を構成するさらに別のめくり軌道誘導ユニットの構造を示す断面図である。（実施例１）
【図１９】図１９は本発明のページめくり機の実施例１を用いて複数枚の用紙をめくる第２の工程を示す別の例の側面図である。（実施例１）
【図２０】図２０は本発明のページめくり機の実施例２を用いて複数枚の用紙をめくる第１の工程を示す側面図である。（実施例２）
【図２１】図２１は本発明のページめくり機の実施例２を用いて複数枚の用紙をめくる第２の工程を示す側面図である。（実施例２）
【図２２】図２２は本発明のページめくり機の実施例２を用いて複数枚の用紙をめくる第３の工程を示す側面図である。（実施例２）
【図２３】図２３は本発明のページめくり機の実施例２を用いて複数枚の用紙をめくる第４の工程を示す側面図である。（実施例２）
【図２４】図２４は本発明のページめくり機の実施例２を用いて複数枚の用紙をめくる第４の工程の終了を示す側面図である。（実施例２）
【図２５】図２５は本発明のページめくり機の実施例３を示す斜視図である。（実施例３）
【図２６】図２６は本発明のページめくり機の実施例４を示す斜視図である。（実施例４）
【図２７】図２７は本発明のページめくり機の実施例５を示す斜視図である。（実施例５）
【図２８】図２８は本発明のページめくり機の実施例６を示す斜視図である。（実施例６）
【図２９】図２９は本発明のページめくり機の実施例７を示す斜視図である。（実施例７）
【図３０】図３０は本発明のページめくり機の実施例７を構成するめくり軌道誘導ユニットの構造を示す断面図である。（実施例７）
【図３１】図３１は本発明のページめくり機の実施例７を用いて複数枚の用紙をめくる第１の工程を示す側面図である。（実施例７）
【図３２】図３２は本発明のページめくり機の実施例７を用いて複数枚の用紙をめくる第２の工程を示す側面図である。（実施例７）
【図３３】図３３は本発明のページめくり機の実施例８を示す斜視図である。（実施例８）
【図３４】図３４は本発明のページめくり機の実施例８を用いて複数枚の用紙をめくる第１の工程を示す側面図である。（実施例８）
【図３５】図３５は従来のページめくり機を用いて複数枚の用紙をめくる構造を示す斜視図である。（従来例１）
【図３６】図３６は従来の別のページめくり機を用いて複数枚の用紙をめくる構造を示す側面（断面）図である。（従来例２）
【図３７】図３７は従来の別のページめくり機を用いて複数枚の用紙をめくる構造を示す側面（断面）である。（従来例３）
【図３８】図３８は従来の別のページめくり機を用いて複数枚の用紙をめくる構造を示す側面（断面）である。（従来例４）
【図３９】図３９は従来の別のページめくり機を用いて複数枚の用紙をめくる構造を示す側面（断面）である。（従来例５）
【図４０】図４０は従来の別のページめくり機を用いて複数枚の用紙をめくる構造を示す側面（断面）である。（従来例６）
【図４１】図４１は従来の別のページめくり機を用いて複数枚の用紙をめくる構造を示す側面（断面）である。（従来例７）
【発明を実施するための形態】
【００５４】
カレンダーなどの綴じられた複数枚の用紙をめくるページめくり機において、人手によらずに自動的にめくる目的を、用紙のおもて面を汚したり傷つけたりすることなく、単純な制御によって高速でかつスペースを必要としない上に大きな力を加える必要もない小型の機械で実現した。また、より安定で動作する機械を実現した。さらに、めくる機構だけを実現する専用機にすることによって費用対効果が高い機械を実現した。さらに、既存の印刷機に容易に取り付けられる機械を実現した。さらに、好ましい様態では用紙を２枚同時に誤ってめくることがなく安定して作動する機械を実現した。以下、本発明の実施例について、添付図面を参照して説明する。
【実施例１】
【００５５】
図１は、本発明の第１の実施例に係るページめくり機の実施例１を示す斜視図である。図１に示すように、本発明のページめくり機において、吸盤１とめくり軌道誘導ユニット２と保持搬送ユニット３と支持台４と固定部５とから構成される。図１に示す実施例１では、吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。また、保持搬送ユニット３は、設けられた気体吸入口から気体を吸入し吸着面から外気を吸い込みながら用紙を吸着させる良く知られている吸盤から構成される場合とした。
【００５６】
図２は、本発明のページめくり機の実施例１を構成するめくり軌道誘導ユニット２の構造を示す断面図である。図２に示したページめくり機の実施例１を構成するめくり軌道誘導ユニット２の断面図の場合は、半円と直線とを組み合わせたＪの字を反時計回りに回転した形状になっている。
【００５７】
図３は、本発明のページめくり機の実施例１を構成する吸盤１の一つとして用いることができる非接触吸盤の構造を示す断面図である。図３に示すように、気体送入口１１から送り込まれた気体はクッション室１２を通ったあと作動面１３とめくる対象となる用紙７との間隙を通って外部に排出される。作動面１１とめくる対象となる用紙７との間隔に応じて、間隔が広いときはクッション室の圧力減少と作動面１１とめくる対象となる用紙７との間隙を通る流体速度の増加を促すベルヌーイ効果によって負圧作用を発生してめくる対象となる用紙７を吸引し、間隔が狭いときはクッション室の圧力増加と作動面１１とめくる対象となる用紙７との間隙を通る流体とのクッション効果によって反発するため、めくる対象となる用紙７は作動面１１に接することなく安定して吸着される。前記の説明は特許１５６３９４８号から引用した。
【００５８】
図４は、本発明のページめくり機の実施例１を用いて複数枚の用紙をめくる第１の工程を示す側面図である。図４に示すように、複数枚の用紙６が支持台４に設置され、めくる側とは逆側が固定部５によって固定されている。複数枚の用紙６のめくる側に非接触吸盤１を近付けるとともに気体を噴出して負圧作用を発生して一番上にあるめくる対象となる用紙７と２枚目の用紙８との間に隙間が設けられる。
【００５９】
図５は、本発明のページめくり機の実施例１を用いて複数枚の用紙をめくる第２の工程を示す側面図である。図５に示すように、複数枚の用紙６の一番上にあるめくる対象となる用紙７と２枚目の用紙８との間に設けられた隙間にめくり軌道誘導ユニット２の先端が挿入されると同時に、第３の工程となるめくる対象となる用紙７の一辺が軌道を描く動作の妨害とならないように非接触吸盤１を上方向、あるいは横方向に退避させる。
【００６０】
図６は、本発明のページめくり機の実施例１を用いて複数枚の用紙をめくる第３の工程を示す側面図である。既に前記第２の工程でめくる対象となる用紙７の一辺が図５に示すようにめくり軌道誘導ユニット２の内側にあるため、図６に示すように、めくる対象となる用紙７の一辺が、めくり軌道誘導ユニット２を横方向に直線状に移動させるにつれてめくり軌道誘導ユニット２の形状、すなわち実施例１の場合はめくり軌道誘導ユニット２の内側の壁のＪの字を反時計回りに回転した形状に沿った移動によってめくられる。めくる対象となる用紙７の一辺が図２に示すめくり軌道誘導ユニット２の左端、すなわち先端とは反対側の他端を越えたとき、めくる対象となる用紙７の一辺がある程度の重さによって下に落ちる前にめくる対象となる用紙７の裏側が保持搬送ユニット３を構成する吸盤で吸着保持される。
【００６１】
図７は、本発明のページめくり機の実施例１を用いて複数枚の用紙をめくる第４の工程を示す側面図である。第４の工程において、めくる対象となる用紙７は保持搬送ユニット３によって吸着保持されながら搬送されて大きくめくられる。めくり軌道誘導ユニット２はめくる対象となる用紙７を反り返らせて送り出す役目を果たす。めくり軌道誘導ユニット２と保持搬送ユニット３が移動するとき、めくる対象となる用紙７の１辺はめくり軌道誘導ユニット２の左端、すなわち先端とは反対側の他端から徐々に離れるため、保持搬送ユニット３の移動速度はめくり軌道誘導ユニット２の移動速度に対してその分だけ相対的に早く制御される。
【００６２】
図８は、本発明のページめくり機の実施例１を用いて複数枚の用紙をめくる第４の工程の終了を示す側面図である。図８に示すように、めくる対象となる用紙７が十分めくられているため保持搬送ユニット３の保持から解放されてもめくる対象となる用紙７の一辺がある程度の重さによって下に落ちたあと安定してめくられた状態を保てる位置までめくり軌道誘導ユニット２と保持搬送ユニット３が移動して停止し保持搬送ユニット３がめくる対象となる用紙７の保持を解放して第４の工程が終了する。
【００６３】
図９は、本発明のページめくり機の実施例１を用いて複数枚の用紙をめくる第４の工程の終了を示す別の例の側面図である。図９に示すように、めくる対象となる用紙７が保持搬送ユニット３に搬送されて保持から解放される位置まで移動されたとき、吸盤から構成されるめくり状態保持ユニット１４によってめくり状態を保持される。めくり状態保持ユニット１４は、保持搬送ユニット３によってめくる対象となる用紙７が次にめくられて搬送されて保持から解放される位置に移動される直前に、一旦保持を解放して上側に退避したあと、図９に示す第４の工程の終了の位置に戻って用紙を追加して保持する。
【００６４】
図１０は、本発明のページめくり機の実施例１を用いて複数枚の用紙をめくる第４の工程の終了を示すさらに別の例の側面図である。図１０に示すように、支持台４は机などの台の隅に位置されていて左側に天板がないため、めくる対象となる用紙７が保持搬送ユニット３に搬送されて保持から解放されたあと、めくる対象となる用紙７の一辺がある程度の重さによって下に落ち垂れ下がった状態で安定してめくられた状態を保つことができる。
【００６５】
図１１は、本発明のページめくり機の実施例１を用いて複数枚の用紙をめくる第５の工程を示す側面図である。めくり軌道誘導ユニット２と保持搬送ユニット３は逆方向の直線状の移動によってもとの位置、すなわち図４に示しためくり軌道誘導ユニット２と保持搬送ユニット３の位置に戻される。なお、非接触吸盤１は、第３の工程でめくり軌道誘導ユニット２によってめくる対象となる用紙７が十分めくられてめくる動作の妨害にならなくなったあと、適当な工程で図４に示す位置に戻される。
【００６６】
第３の工程では、めくり軌道誘導ユニット２において、めくる対象となる用紙７の一辺がめくり軌道誘導ユニット２の先端部の内側の壁に最初に接する位置でめくる対象となる用紙７の一辺に垂直な方向に接線を引いたとき、その接線の傾きが、めくる対象となる用紙７のめくる側の面の傾きと同じ程度であればある程、めくる対象となる用紙７の一辺は、めくり軌道誘導ユニット２の内側の壁に沿って滑らかに移動し始めることができる。めくる対象となる用紙７と２枚目の用紙８との間に設けられた隙間は非常に僅かであるため、この接線の傾きは殆どゼロ度である。次に、めくる対象となる用紙７の一辺が移動する各々の位置で一辺に垂直な方向に接線を引いたとき、その接線の方向が半時計回りに回転しながら変化するが、その変化が滑らかであればある程めくる対象となる用紙７の一辺は滑らかに移動できる。以上のようにして、めくる対象となる用紙７の一辺が移動する各々の位置で一辺に垂直な方向に接線を引いたとき、その接線の方向が１８０度ほど変化したとき、めくる対象となる用紙７が反り返るようにしてめくられ保持搬送ユニット３によって搬送されて大きくめくられる動作に受け継がれる。
【００６７】
図２に示すように、めくり軌道誘導ユニット２の内側の壁の断面曲線の一端から順に断面曲線に接する接線群を一定方向に引いたとき、先端部付近の接線９の方向と他端付近の接線１０の方向の角度差がほぼ１８０度であることがわかり、これらの接線の方向角度差がほぼ１８０度であることが好ましいことがわかる。
【００６８】
図１２に示すように、別のめくり軌道誘導ユニット２において、めくり軌道誘導ユニット２の内側の壁の断面曲線の一端から順に断面曲線に接する接線群を一定方向に引いたとき、９０度程度の方向角度を有する先端部付近の接線９の方向と１８０度程度の方向角度を有する他端付近の接線１０の方向の角度差は９０度程度であるが、めくる対象となる用紙７と２枚目の用紙８との間に設けられた隙間を比較的大きくしてめくる対象となる用紙７のめくる側の面の傾きを大きくすることによって接線９の方向と近付けることができ、めくる対象となる用紙７の一辺は、めくり軌道誘導ユニット２の内側の壁に沿って滑らかに移動し始めることができる。
【００６９】
あるいは、めくり軌道誘導ユニット２を時計回りに回転させることによって、接線９の方向角度を９０度から小さくしてめくる対象となる用紙７のめくる側の面の傾きに近付けることができ、めくる対象となる用紙７の一辺はめくり軌道誘導ユニット２の内側の壁に沿って滑らかに移動し始めることができる。この場合、接線１０の方向角度は１８０度から小さくなるが、めくる対象となる用紙７のめくる側の面は、十分反り返るようにしてめくられているため、保持搬送ユニット３によって搬送されて大きくめくられる動作に受け継がれる。
【００７０】
さらに極端な場合として、めくり軌道誘導ユニット２の内側の壁の断面曲線の一端から順に断面曲線に接する接線群を一定方向に引いたとき、先端部分付近の接線９の方向角度が９０度程度で、かつ接線１０の方向角度を前記の例のように１８０度より小さくした場合においては接線９と接線１０の方向の角度差が９０度より小さくなるが、この場合でも、めくる対象となる用紙７と２枚目の用紙８との間に設けられた隙間を比較的大きくしてめくる対象となる用紙７のめくる側の面の傾きを大きくすることによって、めくる対象となる用紙７の一辺はめくり軌道誘導ユニット２の内側の壁に沿って滑らかに移動し始めることができ、めくる対象となる用紙７が十分反り返るようにしてめくられているため、保持搬送ユニット３によって搬送されて大きくめくられる動作に受け継がれる。
【００７１】
以上から、最も極端な場合として、めくり軌道誘導ユニット２の内側の壁の断面曲線の一端から順に断面曲線に接する接線群を一定方向に引いたとき、先端部分付近の接線９の方向角度が９０度程度で、かつ接線１０の方向角度が９０度程度とした場合、すなわちめくり軌道誘導ユニット２が殆ど平面板状に近い場合においては接線９と接線１０の方向の角度差が殆ど０度になるが、この場合でも、めくる対象となる用紙７と２枚目の用紙８との間に設けられた隙間を比較的大きくしてめくる対象となる用紙７のめくる側の面の傾きを大きくすることによって、めくる対象となる用紙７の一辺はめくり軌道誘導ユニット２の内側の壁に沿って滑らかに移動し始めることができる。図１３は、本発明のページめくり機の実施例１を用いて、めくり軌道誘導ユニット２が平面板状の形状を有する場合の複数枚の用紙をめくる第１の工程から第４の工程までを示す側面図である。図１３に示すように、第１の工程では複数枚の用紙６のめくる側に非接触吸盤１を近付けるとともに気体を噴出して負圧作用を発生して一番上にあるめくる対象となる用紙７と２枚目の用紙８との間に隙間が設けられるが、めくる対象となる用紙７と２枚目の用紙８との間に設けられた隙間を比較的大きくしてめくる対象となる用紙７のめくる側の面の傾きを大きくするために非接触吸盤１の吸着面は予め反時計回りに傾けられている。あるいは、非接触吸盤１の吸着面を水平方向に保った状態でめくる対象となる用紙７を吸着したあと非接触吸盤１を反時計回りに傾けても良い。次に第２の工程として、第３の工程となるめくる対象となる用紙７の一辺が軌道を描く動作の妨害とならないように非接触吸盤１を上方向、あるいは横方向に退避させる。第３の工程では、図１３に示すように、めくる対象となる用紙７の一辺が殆ど垂直に立てられた平面板状のめくり軌道誘導ユニット２に沿って十分上昇したあとは、平面板状のめくり軌道誘導ユニット２に引いた接線１０の方向角度が９０度程度であるため、めくる対象となる用紙７はある程度の重さによって十分反り返るようにしてめくられ、めくる対象となる用紙７の１辺が平面板状のめくり軌道誘導ユニット２を離れる位置に待機していた保持搬送ユニット３に保持される。第４の工程では、図１３に示すように、保持搬送ユニット３によって保持されながら搬送されてさらに大きくめくられる。第４の工程の終了と第５の工程は各々図８と図１１に示した動作と同様である。この例の場合も、めくる対象となる用紙７の端の軌道がめくり軌道誘導ユニット２の形状に沿って描かれながらめくる対象となる用紙７がめくられたあと、保持搬送ユニットによってめくる対象となる用紙７を保持しながら搬送してさらに大きくめくることを特徴とすることに変わりはない。
【００７２】
実施例１では、本発明のページめくり機を構成するめくり軌道誘導ユニット２の断面曲線がＪの字を反時計回りに回転した形状である場合を説明したが、めくり軌道誘導ユニット２の先端がめくる対象となる用紙７の裏面に滑らかに接するようにするために、図１４に示すようにめくり軌道誘導ユニット２の先端を外側に折り返した形状にしても良い。この場合も、図９に示すように、接線９と接線１０の方向の角度差がほぼ１８０度であることが好ましい。
【００７３】
実施例１では、本発明のページめくり機を構成するめくり軌道誘導ユニット２の断面曲線がＪの字を反時計回りに回転した形状である場合を説明したが、図１５に示すように、めくり軌道誘導ユニット２に大きさ調整部１５を設けてめくる対象となる用紙７の大きさやこわさなどの種類に応じてめくり軌道誘導ユニット２の大きさを変える機構を有することが好ましい。めくり軌道誘導ユニット２の大きさを変える機構を有することによって、めくる対象となる用紙７が硬い材質の場合はめくり軌道誘導ユニット２の高さを高くすることによって、めくる対象となる用紙７が反り返ってめくられる動作を滑らかにすることができる。また、めくる対象となる用紙７が柔らかい材質の場合はめくり軌道誘導ユニット２の長さを短くすることによって、めくる対象となる用紙７が十分反り返ってめくる対象となる用紙７の一辺がある程度の重さによって下に落ちる前にめくり軌道誘導ユニット２の左端、すなわち先端とは反対側の他端を越えるため、めくる対象となる用紙７の裏側を保持搬送ユニット３を構成する吸盤で吸着保持することができる。
【００７４】
実施例１に示した本発明のページめくり機を構成するめくり軌道誘導ユニット２において、めくる対象となる用紙７のこわさが比較的硬い場合には比較的先端部分の内側の壁に樹脂や塗料を塗布してめくる対象となる用紙７のこわさに応じて大きい摩擦係数を有することが好ましい。図１６を用いて、めくる対象となる用紙７のこわさが比較的硬い場合に、めくり軌道誘導ユニット２内側の壁の軌道に沿うように反り返らせ、めくる対象となる用紙が突っ張って反り返らずにめくり軌道誘導ユニットに十分進入したあとに逆側に反り返ってめくられずに丸められることがないように安定して動作する仕組みを説明する。
【００７５】
図１６は、本発明のページめくり機の実施例１を構成するめくり軌道誘導ユニット２の内側の壁の摩擦係数を大きく施した場合において、本発明のページめくり機の実施例１を用いて複数枚の用紙をめくる第３の工程の最初の段階を示す側面図である。めくり軌道誘導ユニット２の比較的先端部分の内側の壁には、めくる対象となる用紙７のこわさに応じて樹脂や塗料などの摩擦係数調整剤１６が塗布されて摩擦係数が調整されている。図１６に示すように、めくり軌道誘導ユニット２の移動によって、めくる対象となる用紙の一辺がめくり軌道誘導ユニット２の内側の壁に接しながらめくり軌道誘導ユニット２の内部に進入する。このとき、めくり軌道誘導ユニット２の内側の壁から水平方向に水平力１７がめくる対象となる用紙７の一辺に加えられる。この水平力１７とめくり軌道誘導ユニット２の内側の壁において接線方向に発生する摩擦力１８とがベクトル合成されてめくる対象となる用紙７の面方向に用紙押力１９として加わる。水平力１７が非常に弱い場合は摩擦力１８も非常に弱く、その結果として用紙押力１９が非常に弱いためにめくる対象となる用紙７は反らずに突っ張っている状態となる。水平力１７が次第に大きくなると摩擦力１８もそれに応じて次第に大きくなり、その結果として用紙押力１９も次第に大きくなる。このとき、用紙押力１９を逆にベクトル分解した水平力１７の反作用としてめくり軌道誘導ユニット２の内側の壁を押し返す力と摩擦力１８の方向と反対方向の力であるめくる対象となる用紙７の一辺をめくり軌道誘導ユニット２の内側の壁の軌道に沿って進める軌道移動力２０において、軌道移動力２０が一定の摩擦係数によって得られた発生できる最大の摩擦力１８より大きくなった瞬間めくる対象となる用紙７の一辺はめくり軌道誘導ユニット２の内側の壁の軌道に沿って進む。一方、一定の摩擦係数によって得られた発生できる最大の摩擦力１８が軌道移動力２０とバランスが取れた状態で、用紙押力１９がめくる対象となる用紙７を反り返らせるのに必要な程度に大きくなったときめくる対象となる用紙７は反り返る。めくる対象となる用紙７が反り返る方向は、めくる対象となる用紙７の面とめくり軌道誘導ユニット２の内側の壁の接線方向が９０度以下の方向となるため、めくる対象となる用紙７は下側、すなわちめくる対象となる用紙７の裏面がめくり軌道誘導ユニット２の内側の壁に接する方向となる。
【００７６】
ところが、めくり軌道誘導ユニット２の内側の壁のある全ての範囲で、摩擦係数が小さいためにめくる対象となる用紙７を反り返らせるのに必要な程度の用紙押力１９を発生させる前に軌道移動力２０がその摩擦係数によって得られた発生できる最大の摩擦力１８を超える場合、図１７に示すように、めくる対象となる用紙７は突っ張った状態でめくり軌道誘導ユニット２の内側の壁と固定部５までの距離が最大となる位置までめくり軌道誘導ユニット２の内側の壁の軌道に沿って進む。そのあと、めくる対象となる用紙７の面とめくり軌道誘導ユニット２の内側の壁の接線方向が９０度以下の方向、すなわち図１７の例の場合はめくる対象となる用紙７のおもて面がめくり軌道誘導ユニット２の内側の壁に接する本来とは逆の方向に反り返ってめくり動作は実現できなくなる。なお、前記記載のめくり軌道誘導ユニット２の内側の壁のある全ての範囲とは、図１７に示すように、めくる対象となる用紙７が突っ張った状態でその端がめくり軌道誘導ユニット２の内側の壁に沿って進む場合、めくり軌道誘導ユニット２の先端からめくり軌道誘導ユニット２の内側の壁と固定部５までの距離が最大となる位置までを指す。
【００７７】
以上の例では、めくる対象となる用紙７のこわさが非常に硬い場合を示したが、めくる対象となる用紙７のこわさが非常に柔らかい場合は、めくる対象となる用紙７の一辺がめくり軌道誘導ユニット２の内側の壁の軌道に沿って進む第３の工程の最初の段階で重力によってめくる対象となる用紙７は下側、すなわちめくる対象となる用紙７の裏面がめくり軌道誘導ユニット２の内側の壁に接する方向に湾曲するため、めくり軌道誘導ユニット２の内側の壁の摩擦係数の大きさに関わらずめくる対象となる用紙７は反り返りながらめくり軌道誘導ユニット２の内側の壁の軌道に沿って安定してめくられる。なお、前記記載の摩擦係数は大きい程好ましいのではなく、めくる対象となる用紙７がめくり軌道誘導ユニット２に進入した早い段階でめくる対象となる用紙７の裏面がめくり軌道誘導ユニット２の内側の壁に接する方向に反り返る程度のめくる対象となる用紙７のこわさに応じた値に設定するのが好ましい。摩擦係数がめくる対象となる用紙７のこわさに無関係に大きくなり過ぎるとめくる対象となる用紙７の一辺や裏面とめくり軌道誘導ユニット２の内側の壁との摩擦力が大きくなり過ぎ、めくる対象となる用紙７の一辺や裏面を傷つけたり、極端な場合はめくる対象となる用紙７の一辺のめくり軌道誘導ユニット２の内側の壁の軌道に沿った動きを阻害してめくる対象となる用紙７のおもて面がめくり軌道誘導ユニット２の内側の壁に接するように丸められたりしてめくり動作が実現できなくなることがあるからである。
【００７８】
めくる対象となる用紙７の端が接するめくり軌道誘導ユニット２の比較的先端部分の内側の壁で、めくり軌道誘導ユニット２の移動によって発生するめくり軌道誘導ユニット２の移動方向の力とめくる対象となる用紙７の端が進行することによって発生する進行方向と逆方向の反発力とをベクトル合成した結果であるめくる対象となる用紙７の端から面方向に加えられる力としてめくる対象となる用紙７を反り返らせるほどに増大させることができる大きさの反発力を発生させる手段として、前記のようにめくり軌道誘導ユニット２の内側の壁の摩擦係数を大きく施す以外に、図１８に示すように、めくり軌道誘導ユニット２の内側の壁をエンボス状に加工してもよい。
【００７９】
めくり軌道誘導ユニット２の内側の壁がエンボス状のため、めくる対象となる用紙７のこわさが硬い場合にはめくり軌道誘導ユニット２にめくる対象となる用紙７がある程度進入したあとめくる対象となる用紙７の一辺がエンボス状の凹部に入ってめくる対象となる用紙７を反り返らせる程度の反発力を発生させることが可能となってめくる対象となる用紙７の裏面がめくり軌道誘導ユニット２の内側の壁に接する方向に反り返る動作を助ける。めくる対象となる用紙７の裏面がめくり軌道誘導ユニット２の内側の壁に接する方向に反り返ったあとは、めくる対象となる用紙７の裏面がめくり軌道誘導ユニット２の内側の壁の凸部の先端と接触するようにしてめくられるため、めくり軌道誘導ユニット２の内側の壁とめくる対象となる用紙７の裏側との接触抵抗がより少なくなってさらに滑らかにめくることができる。
【００８０】
めくり軌道誘導ユニット２の比較的先端部分の内側の壁に樹脂や塗料を塗布してめくる対象となる用紙７のこわさに応じて大きい摩擦係数を有することによって摩擦力、すなわち反発力を発生させる場合に加えてめくり軌道誘導ユニット２の内側の壁がエンボス状に加工された場合においても、めくる対象となる用紙７の端が接するめくり軌道誘導ユニット２の内側の壁の適当な位置で、めくり軌道誘導ユニット２の移動によって発生するめくり軌道誘導ユニット２の移動方向の力とめくる対象となる用紙７の端が進行することによって発生する進行方向と逆方向の反発力とをベクトル合成した結果であるめくる対象となる用紙７の端から面方向に加えられる力としてめくる対象となる用紙７を反り返らせるほどに増大させることができる大きさの反発力を発生する手段を有することによって、安定しためくり動作を実現できる効果を有することに変わりはない。
【００８１】
実施例１では、本発明のページめくり機を構成する吸盤１に非接触吸盤として知られている特許１５６３９４８号の空気保持装置を用いたが、吸盤面と用紙との間の気体の圧力を外気圧よりも低くすることによって用紙を吸着する良く知られている吸盤や、気体吸入口から気体を吸入し吸着面から外気を吸い込みながらめくる用紙を吸着する良く知られている吸盤を用いる場合も、めくる対象となる用紙７とその直下の２枚目の用紙８との間に設ける隙間をめくり軌道誘導ユニット２の先端を挿入できる程度の僅かなもので良いため、カレンダーのおもて面を汚したり傷つけたりすることがなく同様の効果が得られることは明らかである。また、吸盤１に気体吸入口から気体を吸入し吸着面から外気を吸い込みながらめくる用紙７を吸着する良く知られている吸盤を用いる場合、好ましい様態としてめくる対象となる用紙７とその直下の２枚目の用紙８との間に隙間が設けられたあと、めくる対象となる用紙７が吸盤１の吸着面に接する前に気体吸入口からの気体吸入を停止することによって、カレンダーのおもて面を汚したり傷つけたりすることがなく同様の効果が得られることは明らかである。
【００８２】
実施例１では、本発明のページめくり機を構成するめくり軌道誘導ユニット２が平板を曲げて加工することによって前記述べたような好ましい形状に形成される場合を説明したが、網のようなメッシュ構造を有する素材を加工して同様の好ましい形状に形成される場合も同様の効果が得られることは明らかである。
【００８３】
本発明のページめくり機を用いて綴じられた複数枚の用紙６をめくるとき、めくり軌道誘導ユニット２がめくる対象となる用紙７の直下の２枚目の用紙８には接しないことが好ましい。
【００８４】
本発明のページめくり機を用いて綴じられた複数枚の用紙６をめくるとき、めくる対象となる用紙７の一辺がめくり軌道誘導ユニット２の内側の壁に沿って滑らかに軌道を描くほどにめくり軌道誘導ユニット２の断面曲線のカーブが十分緩やかであることが好ましい。
【００８５】
実施例１では、本発明のページめくり機を構成する吸盤１を用いて隙間を設けたあと吸盤１を上方向、あるいは横方向に退避させる場合を示したが、図１９に示すように、アームによって円弧を描くように退避してもよく、この場合も単純な制御と単純な移動であるため、機構の制御や調整が単純で、かつめくる処理が早く、スペースを必要としない上に大きな力を加える必要もないために小型の機械で実現できることに変わりはない。
【００８６】
図９では、めくり状態保持ユニット１４が、気体吸入口から気体を吸入し吸着面から外気を吸い込みながらめくる用紙を吸着する良く知られている吸盤から構成される場合を示したが、別の例として、めくる対象となる用紙７がめくられたあと丸まって折返された部分の横側をブラシ状やスポンジ状などの柔らかい素材でできた器具で両側から軟らかく挟み込む方法などもあり、この場合も用紙のおもて面を汚したり傷つけたりすることがなくめくり状態を保持でき同様の効果が得られることは明らかである。
【００８７】
このように、本発明のページめくり機では、めくり軌道誘導ユニット２の直線状の移動がめくり軌道誘導ユニット２の形状に沿っためくる対象となる用紙７の一辺の滑らかな移動を生み出して用紙をめくったあと保持搬送ユニット３によって直線状の移動で搬送されてさらに大きくめくる構造を有するため、単純な制御によって高速でかつスペースを必要としない上に大きな力を加える必要もない小型の機械で実現することができる。また、めくる対象となる用紙７とその直下の２枚目の用紙８との間に隙間を設ける手段において、めくり軌道誘導ユニット２の先端を挿入できる程度の僅かな隙間で良く、吸盤１によってめくる対象となる用紙７を非常に弱い力で吸着するだけで済むため、カレンダーのおもて面を汚したり傷つけたりすることがない。好ましい様態として、吸盤１に気体吸入口から気体を吸入し吸着面から外気を吸い込みながらめくる用紙を吸着する良く知られている吸盤を用い、めくる対象となる用紙とその直下の用紙との間に隙間が設けられたあと、めくる対象となる用紙が吸盤の吸着面に接する前に気体吸入口からの気体吸入を停止することによって、めくる対象となる用紙７のおもて面がどこにも接触されないため、カレンダーのおもて面を汚したり傷つけたりすることがない。さらに好ましい様態として、吸盤１に気体を噴出して負圧作用を発生させることによって非接触で吸着する非接触吸盤を用いることによって、めくる対象となる用紙７のおもて面がどこにも接触されないため、カレンダーのおもて面を汚したり傷つけたりすることがない。さらに、めくる対象となる用紙７の一辺の軌道がめくり軌道誘導ユニット２の形状に沿って描かれながらめくる対象となる用紙７が反り返ってめくられるとき、めくる対象となる用紙７のおもて面はどこにも接することがないため、用紙のおもて面を汚したり傷つけたりすることはない。また、好ましい様態として、めくり軌道誘導ユニット２に大きさ調整部１５を設けてめくる対象となる用紙７の大きさやこわさなどの種類に応じてめくり軌道誘導ユニット２の大きさを変える機構を有することによって、様々な大きさや材質の用紙を安定してめくる動作を実現することができる。また、好ましい様態として、めくり軌道誘導ユニット２の比較的先端部分の内側の壁の摩擦をある程度大きくしたりエンボス加工を施すなどをしてめくる対象となる用紙７の一辺がめくり軌道誘導ユニット２の内側の壁の軌道に沿って進む方向と反対方向に発生する反発力をある程度大きくすることによって、めくる対象となる用紙７がめくり軌道誘導ユニット２の内側の壁に沿って進入した比較的最初の段階でめくる対象となる用紙７をその裏面がめくり軌道誘導ユニット２の内側の壁に接する方向に反り返らせるため、めくる対象となる用紙７が突っ張った状態でめくり軌道誘導ユニット２に十分進入したあとに逆側に反り返ってめくられずに丸められるようなことがなく安定しためくる動作を実現することができる。さらに、めくる対象となる用紙７がめくり軌道誘導ユニット２の形状に沿って描かれながらめくる対象となる用紙７が反り返ってめくられたあと、めくる対象となる用紙７の一辺が垂れ下がるまえに保持搬送ユニット３によって次の大きくめくる動作に受け継がれるため、めくる対象となる用紙７が丸められたりめくる側の端に対して反対側で用紙を固定している部分に引っ掛かるようなことがなく安定しためくる動作を実現することができる。さらに、めくる対象となる用紙７が保持搬送ユニット３によって搬送されてさらに大きくめくられるとき、めくる対象となる用紙７の裏面を吸着して保持するため、用紙のおもて面を汚したり傷つけたりすることはない。さらに、好ましい様態として、めくる対象となる用紙７が保持搬送ユニット３に搬送されて保持から解放されたあとめくり状態保持ユニット１４によってめくり状態が保持されるため、安定しためくる動作を実現することができる。さらに、めくる機構だけを実現する専用機であるため費用対効果が高い機械で実現することができる。さらに、独立した動力源であるため、既存の平台オフセット印刷機に容易に取り付けることができる。
【実施例２】
【００８８】
図２０は、本発明のページめくり機の実施例２を用いて複数枚の用紙をめくる第１の工程を示す側面図である。図２０に示すように、保持搬送ユニット３の位置以外は図４で示した本発明のページめくり機の実施例１を用いて複数枚の用紙をめくる第１の工程と同じである。
【００８９】
図２１は、本発明のページめくり機の実施例２を用いて複数枚の用紙をめくる第２の工程を示す側面図である。図２１に示すように、保持搬送ユニット３はめくり軌道誘導ユニット２の方向に向かって戻り始める。その他の動作は図５で示した本発明のページめくり機の実施例１を用いて複数枚の用紙をめくる第２の工程と同じである。
【００９０】
図２２は、本発明のページめくり機の実施例２を用いて複数枚の用紙をめくる第３の工程を示す側面図である。図２２に示すように、保持搬送ユニット３はめくり軌道誘導ユニット２によって反り返るようにしてめくられためくる対象となる用紙７を受け取る位置にまで戻る。その他の動作は図６で示した本発明のページめくり機の実施例１を用いて複数枚の用紙をめくる第３の工程と同じである。
【００９１】
図２３は、本発明のページめくり機の実施例２を用いて複数枚の用紙をめくる第４の工程を示す側面図である。図２３に示すように、めくる対象となる用紙７は保持搬送ユニット３によって吸着保持されながら搬送されて大きくめくられる。めくり軌道誘導ユニット２は第１の工程を示す図２０の位置に向かって戻り始める。
【００９２】
図２４は、本発明のページめくり機の実施例２を用いて複数枚の用紙をめくる第４の工程の終了を示す側面図である。図２４に示すように、めくる対象となる用紙７が十分めくられているため保持搬送ユニット３の保持から解放されても、めくる対象となる用紙７の一辺がある程度の重さによって下に落ちたあと安定してめくられた状態を保てる位置まで保持搬送ユニット３が移動して停止し保持搬送ユニット３がめくる対象となる用紙７の保持を解放して第４の工程が終了する。めくり軌道誘導ユニット２は第１の工程を開始する位置まで戻る。図２４に示す第４の工程の終了は第１の工程の始まりであり、図２４に示すめくり軌道誘導ユニット２と保持搬送ユニット３の位置は図２０に示す各々の位置と同じである。保持搬送ユニット３の第４の工程が終了する位置は、実施例１で示しためくり状態保持ユニット１４を用いることやめくる対象となる用紙７の一辺がある程度の重さによって下に落ち垂れ下がった状態で安定してめくられた状態を保つ同様の工夫によって別の終了する位置にすることもできる。なお、非接触吸盤１は、第３の工程でめくり軌道誘導ユニット２によってめくる対象となる用紙７が十分めくられてめくる動作の妨害にならなくなったあと、適当な工程で図２４に示す位置に戻される。
【００９３】
本発明のページめくり機の実施例１を用いて複数枚の用紙をめくる第４の工程の終了を示す別の例として、図９においては、めくる対象となる用紙７が保持搬送ユニット３に搬送されて保持から解放される位置まで移動されたとき、吸盤から構成されるめくり状態保持ユニット１４によってめくり状態を保持される例を示した。図９で示した例では、保持搬送ユニット３を構成する吸盤とめくり状態保持ユニット１４を構成する吸盤に、気体吸入口から気体を吸入し吸着面から外気を吸い込みながらめくる用紙を吸着する良く知られている吸盤を用いた。そのため、保持搬送ユニット３とめくり状態保持ユニット１４を構成する各々の吸盤を交互に役目を入れ替えて用いることができる。すなわち、図２３に示した本発明のページめくり機の実施例２を用いて複数枚の用紙をめくる第４の工程において、保持搬送ユニット３によって２枚目の用紙８が十分大きくめくられる位置に移動される間にめくり状態保持ユニット１４は保持していた用紙を開放して図２２に示すめくり軌道誘導ユニット２によって反り返るようにしてめくられためくる対象となる用紙７を受け取る位置にまで戻り、次の第４の工程では保持搬送ユニット３としての役目に代わることができる。保持搬送ユニット３によって２枚目の用紙８が既にめくられた用紙の近くまで保持されながら搬送されているため、既にめくられた用紙はめくり状態保持ユニット１４から開放されてもめくり状態を保持していることができるからである。第４の工程の終了においては、保持搬送ユニット３は停止するが、めくり状態保持ユニット１４の役目に代わって引き続きめくる対象となる用紙７を保持し続ける。このように、保持搬送ユニット３とめくり状態保持ユニット１４を構成する各々の吸盤を交互に役目を入れ替えて用いることによって、さらに単純な制御によって高速に動作するページめくり機を実現することができる。
【００９４】
このように、本発明のページめくり機では、実施例１で述べた効果に加え、めくり軌道誘導ユニット２はめくる対象となる用紙７を保持搬送ユニット３に受け渡したあと、その移動が保持搬送ユニット３とは独立に制御されて１工程早く第１の工程に移ることができるため、より高速にめくる動作を実現することができる
【実施例３】
【００９５】
図２５は、本発明の第３の実施例に係るページめくり機の実施例３を示す斜視図である。図２５に示すように、本発明のページめくり機において、吸盤１とめくり軌道誘導ユニット２と保持搬送ユニット３と支持台４と固定部５とから構成される。図２５に示す実施例３でも吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。また、図２５に示すように、めくり軌道誘導ユニット２には、実施例で示しためくり軌道誘導ユニット２の先を尖らせた形状のものを用いた。
【００９６】
本発明のページめくり機の実施例３を用いて複数枚の用紙をめくる第１の工程、第２の工程、第３の工程、第４の工程と第５の工程は本発明のページめくり機の実施例１と全く同じである。
【００９７】
このように、本発明のページめくり機では、実施例１で述べた効果に加え、めくり軌道誘導ユニット２の先端が尖っているため、めくる対象となる用紙７と２枚目の用紙８の間に設けられた隙間をさらに小さくしてもめくり軌道誘導ユニット２の先端を安定して挿入することができる。
【実施例４】
【００９８】
図２６は、本発明の第４の実施例に係るページめくり機の実施例４を示す斜視図である。図２６に示すように、本発明のページめくり機において、吸盤１とめくり軌道誘導ユニット２と保持搬送ユニット３と支持台４と固定部５とから構成される。図２６に示す実施例４でも吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。また、図２６に示すように、めくり軌道誘導ユニット２には、パイプを曲げて加工することによって実施例１で述べた好ましい形状に形成されたものを用いた。
【００９９】
本発明のページめくり機の実施例４を用いて複数枚の用紙をめくる第１の工程、第２の工程、第３の工程、第４の工程と第５の工程は本発明のページめくり機の実施例１と全く同じである。
【０１００】
このように、本発明のページめくり機では、実施例１で述べた効果に加え、めくる対象となる用紙７の一辺が２本のパイプが形成する２本の線で作られる面に沿った軌道を描いてめくられ、めくり軌道誘導ユニット２を構成する２本のパイプの間には開放された空間を有するため、第１の工程でめくる対象となる用紙７と２枚目の用紙８との間に隙間を設けるときに用いる吸盤１を図２６に示すようにめくり軌道誘導ユニット２を構成する２本のパイプの間に設けることができ、吸盤１の数を１個にできる他、めくる対象となる用紙７を吸着する動作の制御をより簡単にすることができる。
【実施例５】
【０１０１】
図２７は、本発明の第５の実施例に係るページめくり機の実施例５を示す斜視図である。図２７に示すように、本発明のページめくり機において、吸盤１とめくり軌道誘導ユニット２と保持搬送ユニット３と支持台４と固定部５とから構成される。図２７に示す実施例５でも吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。また、図２７に示すように、実施例４と同様にめくり軌道誘導ユニット２には、パイプを曲げて加工することによって実施例１で述べた好ましい形状に形成されたものを用いた。
【０１０２】
本発明のページめくり機の実施例５を用いて複数枚の用紙をめくる第１の工程、第２の工程、第３の工程と第４と第５の工程は、実施例４では、めくる対象となる用紙７の一辺の軌道がめくり軌道誘導ユニット２の形状に沿って描かれながらめくる対象となる用紙７が反り返ってめくられるのに対し、実施例５では、めくる対象となる用紙７の角の軌道がめくり軌道誘導ユニット２の形状に沿って描かれながらめくる対象となる用紙７がめくられる以外は全く同じである。いずれも、めくる対象となる用紙７の端の軌道がめくり軌道誘導ユニット２の形状に沿って描かれながらめくる対象となる用紙７が反り返ってめくられることを特徴とすることに変わりはない。
【０１０３】
このように、本発明の実施例５の場合でも、実施例４で述べた効果と同様の効果が得られる。
【実施例６】
【０１０４】
図２８は、本発明の第６の実施例に係るページめくり機の実施例６を示す斜視図である。図２８に示すように、本発明のページめくり機において、吸盤１とめくり軌道誘導ユニット２と保持搬送ユニット３と支持台４と固定部５とエアーノズル２１とから構成される。図２８に示す実施例６でも吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。
【０１０５】
本発明のページめくり機の実施例６を用いて複数枚の用紙をめくる第１の工程、第２の工程、第４の工程と第５の工程は本発明のページめくり機の実施例１と全く同じである。
【０１０６】
本発明のページめくり機の実施例６を用いて複数枚の用紙をめくる第３の工程だけが図６に示す本発明のページめくり機の実施例１を用いて複数枚の用紙をめくる第３の工程と異なる。本発明のページめくり機の実施例６を用いて複数枚の用紙をめくる第３の工程では、エアーノズル２１からめくる対象となる用紙７の表面に向かって気体が噴出され、めくる対象となる用紙７は裏面をめくり軌道誘導ユニット２の内側の壁に押し付けられながらめくり軌道誘導ユニット２の形状に沿って描かれながら反り返ってめくられる。
【０１０７】
このように、本発明のページめくり機では、実施例１で述べた効果に加え、好ましい様態として、エアーノズル２１からめくる対象となる用紙７の表面に向かって気体が噴出されることによって、めくる対象となる用紙７の裏面がめくり軌道誘導ユニット２の形状、すなわち内側の壁に沿うように非接触でガイドされるため、めくる対象となる用紙７が反り返ってめくられたあとにめくり軌道から外れて垂れるようなことがなく安定してめくる動作を実現することができる。
【０１０８】
実施例６では、第３の工程においてめくる対象となる用紙７の裏面がめくり軌道誘導ユニット２の形状に沿うように非接触でガイドする手段としてエアーノズル２１を用いる場合を示したが、第１の工程においてめくる対象となる用紙７と２枚目の用紙８との間に隙間を設けるために用いた非接触吸盤１によって第２の工程でめくる対象となる用紙７の保持を続けたあと第３の工程でめくる対象となる用紙７の端を保持しながらめくり軌道誘導ユニット２の内側の壁の軌道に沿って移動させることによって実現することもでき、この場合もめくる対象となる用紙７が反り返ってめくられたあとにめくり軌道から外れて垂れるようなことがなく安定してめくる動作を実現することができる。
【実施例７】
【０１０９】
図２９は、本発明の第７の実施例に係るページめくり機の実施例７を示す斜視図である。図２９に示すように、本発明のページめくり機において、吸盤１とめくり軌道誘導ユニット２と保持搬送ユニット３と支持台４と固定部５とから構成される。図２９に示す実施例７でも吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。
【０１１０】
図３０は、本発明のページめくり機の実施例７を構成するめくり軌道誘導ユニット２の構造を示す断面図である。図３０に示すように、めくり軌道誘導ユニット２の内側の壁の断面曲線の一端から順に断面曲線に接する接線群を一定方向に引いたとき、先端部付近の接線９の方向と他端付近の接線１０方向の角度差がほぼ１８０度であり、実施例１の場合と同様に好ましい様態を示した。図３０に示したページめくり機の実施例７を構成するめくり軌道誘導ユニット２の断面図の場合は半円と直線とを組み合わせたＪの字を反時計回りに回転した形状になっている。図３０に示した実施例７のページめくり機を構成するめくり軌道誘導ユニット２は空洞２２を有しており、気体送入口２３から空洞２２に気体が送られてめくり軌道誘導ユニット２の先端に設けられた孔２４から気体を噴出する構造となっている。
【０１１１】
図３１は、本発明のページめくり機の実施例７を用いて複数枚の用紙をめくる第１の工程を示す側面図である。図３１に示すように、複数枚の用紙６が支持台４に設置され、めくる側とは逆側が固定部５によって固定されている。複数枚の用紙６のめくる側に非接触吸盤１を近付けるとともに気体を噴出して負圧作用を発生して一番上にあるめくる対象となる用紙７と２枚目の用紙８との間に隙間が設けられる。このとき２枚目の用紙８がめくる対象となる用紙７と同時に引き上げられないようにめくり軌道誘導ユニット２の先端に設けられた孔２４から気体が噴出される。
【０１１２】
図３２は、本発明のページめくり機の実施例７を用いて複数枚の用紙をめくる第２の工程を示す側面図である。図３２に示すように、複数枚の用紙６の一番上にあるめくる対象となる用紙７と２枚目の用紙８との間に設けられた隙間にめくり軌道誘導ユニット２の先端が先端に設けられた孔２４から気体を噴出しながら挿入されると同時に、第３の工程となるめくる対象となる用紙７の一辺が描く軌道の妨害とならないように非接触吸盤１を上方向、あるいは横方向に退避させる。
【０１１３】
本発明のページめくり機の実施例７を用いて複数枚の用紙をめくる第３の工程、第４の工程と第５の工程は本発明のページめくり機の実施例１と全く同じである。
【０１１４】
実施例７のめくり軌道誘導ユニット２は、実施例１のめくり軌道誘導ユニット２に空洞２２と気体送入口２３と孔２４を設けたことが異なるだけで、形状などの好ましい様態は実施例１と全く同様である。
【０１１５】
このように、本発明のページめくり機では、実施例１で述べた効果に加え、好ましい様態として、めくり軌道誘導ユニット２に空洞２２を設け適当な位置に気体送入口２３を、めくり軌道誘導ユニット２の先端に孔２４を設けてめくる対象となる用紙７と２枚目の用紙８との間に気体を送り込むことによって、めくる対象となる用紙７と２枚目の用紙８を確実に分離して２枚同時に誤ってめくることがなく確実に１枚の用紙だけをめくることができる。
【実施例８】
【０１１６】
図３３は本発明の第８の実施例に係るページめくり機の実施例８を示す斜視図である。図３３に示すように、本発明のページめくり機において、吸盤１とめくり軌道誘導ユニット２と保持搬送ユニット３と支持台４と固定部５とから構成される。図３３に示す実施例８でも吸盤１には、設けられた気体吸入口から気体を吸入し吸着面から外気を吸い込みながら用紙を吸着させる良く知られている吸盤、あるいは例えば非接触吸盤として知られている特許１５６３９４８号の空気保持装置を用いた。
【０１１７】
図３４は、本発明のページめくり機の実施例８を用いて複数枚の用紙をめくる第１の工程を示す側面図である。図３４に示すように、複数枚の用紙６が支持台４に設置され、めくる側とは逆側が固定部５によって固定されている。複数枚の用紙６のめくる側に非接触吸盤１を近付けるとともに気体を噴出して負圧作用を発生して一番上にあるめくる対象となる用紙７と２枚目の用紙８との間に隙間が設けられる。このとき２枚目の用紙８がめくる対象となる用紙７と同時に引き上げられないように非接触吸盤１から噴出された気体が風向制御板２５によって方向を制御されてめくる対象となる用紙７と２枚目の用紙８との間に送り込まれる。
【０１１８】
本発明のページめくり機の実施例８を用いて複数枚の用紙をめくる第２の工程、第３の工程、第４の工程と第５の工程は本発明のページめくり機の実施例１と全く同じである。
【０１１９】
このように、本発明のページめくり機では、実施例１で述べた効果に加え、好ましい様態として、非接触吸盤１から噴出された気体を風向制御板２５によって方向を制御してめくる対象となる用紙７と２枚目の用紙８との間に送り込むことによって、めくる対象となる用紙７と２枚目の用紙８を確実に分離して２枚同時に誤ってめくることがなく確実に１枚の用紙だけをめくることができる。
【産業上の利用可能性】
【０１２０】
綴じられた複数枚の用紙をめくる場合の用途全般に適用できる。また、綴じられた複数枚の用紙の材料は紙で作られたものだけではなく、フィルムなどの化学素材で作られたものにも適用できる。
【符号の説明】
【０１２１】
１    吸盤
２    めくり軌道誘導ユニット
３    保持搬送ユニット
４    支持台
５    固定部
６    綴じられた複数枚の用紙
７    めくる対象となる用紙
８    ２枚目の用紙
９    接線
１０  別の接線
１１  気体送入口
１２  クッション室作動面
１３  作動面
１４  めくり状態保持ユニット
１５  大きさ調整部
１６  摩擦係数調整剤
１７  水平力
１８  摩擦力
１９  用紙押力
２０  軌道移動力
２１  エアーノズル
２２  空洞
２３  気体送入口
２４  孔
２５  風向制御板
２６  特殊ブランケット胴
２７  補助用エアーノズル
２８  めくり用エアーノズル
２９  サッカーロール
３０  ベルトコンベヤ
３１  吸盤
３２  エアーノズル
３３  吸盤
３４  圧胴
３５  ゴム胴
３６  巻付け胴
３７  吸着ノズル
３８  吹付けノズル
３９  解除用吹付けノズル
４０  吸着装置
４１  ターンペーパーガイド
４２  ページめくりベルト
４３  ページ収納手段
【図１】
2011121351.tif 000003
【図２】
2011121351.tif 000004
【図３】
2011121351.tif 000005
【図４】
2011121351.tif 000006
【図５】
2011121351.tif 000007
【図６】
2011121351.tif 000008
【図７】
2011121351.tif 000009
【図８】
2011121351.tif 000010
【図９】
2011121351.tif 000011
【図１０】
2011121351.tif 000012
【図１１】
2011121351.tif 000013
【図１２】
2011121351.tif 000014
【図１３】
2011121351.tif 000015
【図１４】
2011121351.tif 000016
【図１５】
2011121351.tif 000017
【図１６】
2011121351.tif 000018
【図１７】
2011121351.tif 000019
【図１８】
2011121351.tif 000020
【図１９】
2011121351.tif 000021
【図２０】
2011121351.tif 000022
【図２１】
2011121351.tif 000023
【図２２】
2011121351.tif 000024
【図２３】
2011121351.tif 000025
【図２４】
2011121351.tif 000026
【図２５】
2011121351.tif 000027
【図２６】
2011121351.tif 000028
【図２７】
2011121351.tif 000029
【図２８】
2011121351.tif 000030
【図２９】
2011121351.tif 000031
【図３０】
2011121351.tif 000032
【図３１】
2011121351.tif 000033
【図３２】
2011121351.tif 000034
【図３３】
2011121351.tif 000035
【図３４】
2011121351.tif 000036
【図３５】
2011121351.tif 000037
【図３６】
2011121351.tif 000038
【図３７】
2011121351.tif 000039
【図３８】
2011121351.tif 000040
【図３９】
2011121351.tif 000041
【図４０】
2011121351.tif 000042
【図４１】
2011121351.tif 000043
【手続補正書】
【提出日】平成22年2月28日(2010.2.28)
【手続補正１】
【補正対象書類名】明細書
【補正対象項目名】００２２
【補正方法】変更
【補正の内容】
【００２２】
【特許文献５】特許２０７７５４１号（特公平７−１１５５５２号）
【手続補正書】
【提出日】平成22年4月20日(2010.4.20)
【手続補正１】
【補正対象書類名】明細書
【補正対象項目名】００３６
【補正方法】変更
【補正の内容】
【００３６】
本発明は、好ましくは、めくる対象となる用紙の端の軌道をガイドするめくり軌道誘導ユニットの適当な位置に気体送入口を、めくり軌道誘導ユニットの先端に孔を設け、気体送入口から気体を送入して孔から気体を噴出しながらめくる対象となる用紙をめくることを特徴とする。
【手続補正２】
【補正対象書類名】明細書
【補正対象項目名】００４６
【補正方法】変更
【補正の内容】
【００４６】
さらに、好ましい様態として、めくる対象となる用紙の裏面がめくり軌道誘導ユニットの形状に沿うように非接触でガイドする手段を有することによって、めくる対象となる用紙を正しい方向に反り返らせて安定して動作するページめくり機を提供するものである。
【手続補正３】
【補正対象書類名】明細書
【補正対象項目名】０１０７
【補正方法】変更
【補正の内容】
【０１０７】
このように、本発明のページめくり機では、実施例１で述べた効果に加え、好ましい様態として、エアーノズル２１からめくる対象となる用紙７の表面から裏面に向かう力が発生するように気体が噴出されることによって、めくる対象となる用紙７の裏面がめくり軌道誘導ユニット２の形状、すなわち内側の壁に沿うように非接触でガイドされるため、めくる対象となる用紙７を正しい方向に反り返らせて安定してめくる動作を実現することができる。
【手続補正４】
【補正対象書類名】明細書
【補正対象項目名】０１０８
【補正方法】変更
【補正の内容】
【０１０８】
実施例６では、第３の工程においてめくる対象となる用紙７の裏面がめくり軌道誘導ユニット２の形状に沿うように非接触でガイドする手段としてエアーノズル２１を用いる場合を示したが、第１の工程においてめくる対象となる用紙７と２枚目の用紙８との間に隙間を設けるために用いた非接触吸盤１によって第２の工程でめくる対象となる用紙７の保持を続けたあと第３の工程でめくる対象となる用紙７の端を保持しながらめくり軌道誘導ユニット２の内側の壁の軌道に沿って移動させることによって実現することもでき、この場合もめくる対象となる用紙７を正しい方向に反り返らせて安定してめくる動作を実現することができる。
【手続補正５】
【補正対象書類名】特許請求の範囲
【補正対象項目名】請求項５
【補正方法】変更
【補正の内容】
【請求項５】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくり軌道誘導ユニットの内側の壁の適当な位置で摩擦係数を増やす加工またはエンボス加工が施された構造を有し、前記めくり軌道誘導ユニットの移動によって発生する前記めくり軌道誘導ユニットの移動方向の力と前記めくる対象となる用紙の端が進行することによって発生する進行方向と逆方向の反発力とをベクトル合成した結果である前記めくる対象となる用紙の端から面方向に加えられる力として前記めくる対象となる用紙を反り返らせるほどに増大させることができる大きさの前記反発力を発生させることを特徴とするページめくり機。
【手続補正６】
【補正対象書類名】特許請求の範囲
【補正対象項目名】請求項６
【補正方法】変更
【補正の内容】
【請求項６】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくる対象となる用紙の表面から裏面に向かう力が発生するように気体を吹きつける手段を有し、前記めくる対象となる用紙の裏面が前記めくり軌道誘導ユニットの形状に沿うように反り返らせることを特徴とするページめくり機。
【手続補正７】
【補正対象書類名】特許請求の範囲
【補正対象項目名】請求項７
【補正方法】変更
【補正の内容】
【請求項７】
綴じられた複数枚の用紙をめくるページめくり機において、めくる対象となる用紙と該用紙の直下の用紙との間に隙間を設ける手段と該隙間に先端を挿入し前記めくる対象となる用紙の端の軌道を誘導するめくり軌道誘導ユニットを有し、該めくり軌道誘導ユニットの移動によって前記めくる対象となる用紙の端の軌道が前記めくり軌道誘導ユニットの形状に沿って描かれながら前記めくる対象となる用紙が反り返ってめくられ、前記めくり軌道誘導ユニットの適当な位置に気体送入口を、前記めくり軌道誘導ユニットの先端付近に孔を設け、前記気体送入口から気体を送入して前記孔から気体を噴出しながら前記めくる対象となる用紙をめくることを特徴とするページめくり機。